【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
少なくとも１つの第１電磁波を受信し、且つ、立体角内の少なくとも１つの第２電磁波をサンプルに対して転送するべく構成された少なくとも１つの第１構成部であって、この場合に、前記少なくとも１つの第２電磁波は、前記少なくとも１つの第１電磁波と関連付けられており、この場合に、前記少なくとも１つの第１構成部は、前記少なくとも１つの第２電磁波と関連付けられた前記サンプルから複数の第３電磁波を受信するべく構成されており、且つ、この場合に、前記第３電磁波の少なくとも１つの部分は、前記立体角の外縁の外において提供されている、少なくとも１つの第１構成部と、
前記第３電磁波の各々と関連付けられた信号を同時に検出するべく構成された少なくとも１つの第２構成部であって、この場合に、前記信号は、前記サンプル内の複数の深さにおける少なくとも１つのサンプルの情報と関連付けられており、且つ、この場合に、前記少なくとも１つの第２構成部は、前記第３電磁波の中の前記少なくとも１つの部分を使用することにより、前記サンプル内の複数の深さを判定するべく構成されている、少なくとも１つの第２構成部とを有することを特徴とする装置。
【請求項２】
前記第３電磁波の前記少なくとも１つの部分と、前記少なくとも１つの第１電磁波と関連付けられた少なくとも１つの第４電磁波との間の干渉を検出するべく構成され、且つ、前記干渉に基づいて前記サンプル内の深さの関数として、前記サンプルと関連付けられた情報を取得するべく構成された少なくとも１つの第３構成部を更に有する請求項１記載の装置。
【請求項３】
前記信号の関数として、前記サンプルの少なくとも１つの部分の複屈折特性、分光特性、モーション、角度別後方散乱特性、又は弾性特性の少なくとも１つのものと関連付けられたデータを提供するべく構成された少なくとも１つの第３構成部を更に有する請求項１記載の装置。
【請求項４】
前記信号の関数として、前記サンプルの少なくとも１つの部分の少なくとも１つの画像を生成することが可能である少なくとも１つの第３構成部を更に有する請求項１記載の装置。
【請求項５】
前記少なくとも１つの第３構成部は、前記信号の関数として、前記サンプルの少なくとも１つの部分の複屈折特性、分光特性、モーション、角度別後方散乱特性、又は弾性特性の少なくとも１つのものと関連付けられたデータを提供するべく更に構成されている請求項４記載の装置。
【請求項６】
前記データは、前記少なくとも１つの画像と関連付けられたコントラストデータである請求項５記載の装置。
【請求項７】
前記信号の組み合わせの関数として、前記サンプルの少なくとも１つの部分の散乱特性と関連付けられたデータを提供するべく構成された少なくとも１つの第３構成部を更に有する請求項１記載の装置。
【請求項８】
前記少なくとも１つの第２構成部は、前記第３電磁波の中の単一のものを使用して前記サンプル内の複数の深さを判定することが可能である請求項１記載の装置。
【請求項９】
信号を検出する方法において、
少なくとも１つの第１電磁波を受信する段階と、
立体角内の少なくとも１つの第２電磁波をサンプルに対して転送する段階であって、この場合に、前記少なくとも１つの第２電磁波は、前記少なくとも１つの第１電磁波と関連付けられている段階と、
前記少なくとも１つの第２電磁波と関連付けられた前記サンプルから複数の第３電磁波を受信する段階であって、この場合に、前記第３電磁波の少なくとも１つの部分は、前記立体角の外縁の外において提供されている段階と、
前記第３電磁波の各々と関連付けられた前記信号を同時に検出する段階であって、この場合に、前記信号は、前記サンプル内の複数の深さにおける前記少なくとも１つのサンプルの情報と関連付けられている段階と、
前記第３電磁波の中の前記少なくとも１つの部分を使用することにより、前記サンプル内の複数の深さを判定する段階とを有することを特徴とする方法。
【請求項１０】
少なくとも１つのサンプルと関連付けられたデータを提供する装置において、
前記少なくとも１つのサンプルから提供された複数の電磁波の信号と関連付けられた第１情報を受信するべく構成された少なくとも１つの第１構成部であって、この場合に、前記電磁波の中の少なくとも１つのものは、時間とともに変化する周波数を有しており、さらに、前記電磁波の中の少なくとも第１のものは、第１軸に沿って提供されており、且つ、前記電磁波の中の少なくとも第２のものは、前記第１軸とは異なる第２軸に沿って提供されており、この場合に、前記第１情報の少なくとも１つの部分内の前記信号の各々のデータは、前記少なくとも１つのサンプル内の複数の深さのデータを含んでいる、少なくとも１つの第１構成部と、
前記第１情報の関数として、前記少なくとも１つのサンプルの画像の少なくとも１つの部分のコントラストデータと関連付けられた第２情報を生成するべく構成された少なくとも１つの第２構成部とを有することを特徴とする装置。
【請求項１１】
前記信号の少なくとも１つの部分は、前記立体角の外縁の外において提供されている請求項１０記載の装置。
【請求項１２】
前記少なくとも１つの第２構成部は、前記第１情報を使用して前記サンプル内の前記少なくとも１つの深さのパラメータを判定することが可能である請求項１０記載の装置。
【請求項１３】
前記少なくとも１つの第２構成部は、前記信号の中の単一のものと関連付けられたデータを使用して前記少なくとも１つの深さを判定することが可能である請求項１０記載の装置。
【請求項１４】
前記第２情報の関数として、前記サンプルの少なくとも１つの部分の少なくとも１つの画像を生成することが可能である少なくとも１つの第３構成部を更に有する請求項１０記載の装置。
【請求項１５】
前記少なくとも１つの第３構成部は、前記第２情報の関数として、前記サンプルの少なくとも１つの部分の複屈折特性、分光特性、モーション、角度別後方散乱特性、又は弾性特性の少なくとも１つのものと関連付けられたデータを提供するべく更に構成されている請求項１４記載の装置。
【請求項１６】
前記データは、前記少なくとも１つの画像と関連付けられたコントラストデータである請求項１５記載の装置。
【請求項１７】
前記信号の組み合わせの関数として、前記サンプルの少なくとも１つの部分の散乱特性と関連付けられたデータを提供するべく構成された少なくとも１つの第３構成部を更に有する請求項１０記載の装置。
【請求項１８】
少なくとも１つのサンプルと関連付けられたデータを提供する方法において、
前記少なくとも１つのサンプルから提供された複数の電磁波の信号と関連付けられた第１情報を受信する段階であって、この場合に、前記電磁波の中の少なくとも１つのものは、時間とともに変化する周波数を有しており、さらに、前記電磁波の中の少なくとも第１のものは、第１軸に沿って提供されており、且つ、前記電磁波の中の少なくとも第２のものは、前記第１軸とは異なる第２軸に沿って提供されており、この場合に、前記第１情報の少なくとも１つの部分内の前記信号の各々のデータは、前記少なくとも１つのサンプル内の複数の深さのデータを含んでいる段階と、
前記第１情報の関数として、前記少なくとも１つのサンプルの画像の少なくとも１つの部分のコントラストデータと関連付けられた第２情報を生成する段階とを有することを特徴とする方法。
【請求項１９】
少なくとも１つの第１電磁波を受信し、且つ、立体角内の少なくとも１つの第２電磁波をサンプルに転送するべく構成された少なくとも１つの第１構成部であって、この場合に、前記少なくとも１つの第２電磁波は、前記少なくとも１つの第１電磁波と関連付けられており、この場合に、前記少なくとも１つの第１構成部は、前記少なくとも１つの第２電磁波と関連付けられた前記サンプルから複数の第３電磁波の中の少なくとも２つのものを同時に受信するべく構成されており、且つ、この場合に、前記第３電磁波の少なくとも１つの部分は、前記立体角の外縁の外において提供されている、少なくとも１つの第１構成部と、
前記第３電磁波の中の少なくとも２つのものと、前記少なくとも１つの第１電磁波と関連付けられた少なくとも１つの第４電磁波との間の干渉を検出するべく構成され、且つ、前記干渉に基づいて前記サンプル内の少なくとも１つの深さの関数として、前記サンプルと関連付けられた情報を取得するべく構成された少なくとも１つの第２構成部とを有することを特徴とする装置。
【請求項２０】
前記少なくとも１つの第２構成部は、前記干渉に基づいて前記少なくとも１つの深さを判定するべく構成されている請求項１９記載の装置。
【請求項２１】
前記少なくとも１つの第２構成部は、前記第３電磁波の各々と関連付けられた信号を同時に検出するべく構成されている請求項２０記載の装置。
【請求項２２】
前記信号の関数として、前記サンプルの少なくとも１つの部分の複屈折特性、分光特性、モーション、角度別後方散乱特性、又は弾性特性の少なくとも１つのものと関連付けられたデータを提供するべく構成された少なくとも１つの第３構成部を更に有する請求項２１記載の装置。
【請求項２３】
前記信号の関数として、前記サンプルの少なくとも１つの部分の少なくとも１つの画像を生成することが可能である少なくとも１つの第３構成部を更に有する請求項２１記載の装置。
【請求項２４】
前記少なくとも１つの第３構成部は、前記信号の関数として、前記サンプルの少なくとも１つの部分の複屈折特性、分光特性、モーション、角度別後方散乱特性、又は弾性特性の少なくとも１つのものと関連付けられたデータを提供するべく更に構成されている請求項２３記載の装置。
【請求項２５】
前記データは、前記少なくとも１つの画像と関連付けられたコントラストデータである請求項２４記載の装置。
【請求項２６】
前記信号の組み合わせの関数として、前記サンプルの少なくとも１つの部分の散乱特性と関連付けられたデータを提供するべく構成された少なくとも１つの第３構成部を更に有する請求項２１記載の装置。
【請求項２７】
前記少なくとも１つの第２構成部は、前記第３電磁波の中の単一のものを使用して前記少なくとも１つの深さを判定することが可能である請求項２０記載の装置。
【請求項２８】
信号を検出する方法において、
少なくとも１つの第１電磁波を受信する段階と、
立体角内の少なくとも１つの第２電磁波をサンプルに対して転送する段階であって、この場合に、前記少なくとも１つの第２電磁波は、前記少なくとも１つの第１電磁波と関連付けられている段階と、
前記少なくとも１つの第２電磁波と関連付けられた前記サンプルから複数の第３電磁波の中の少なくとも２つのものを同時に受信する段階であって、前記第３電磁波の少なくとも１つの部分は、前記立体角の外縁の外において提供されている段階と、
前記第３電磁波の中の少なくとも２つのものと、前記少なくとも１つの第１電磁波と関連付けられた少なくとも１つの第４電磁波との間の干渉を検出する段階と、
前記干渉に基づいて前記サンプル内の少なくとも１つの深さの関数として、前記サンプルと関連付けられた情報を取得する段階とを有することを特徴とする方法。
【請求項２９】
前記少なくとも１つの第２構成部は、さらに、前記信号を組み合わせるべく構成されている請求項１記載の装置。
【請求項３０】
前記方法は、さらに、前記信号を同時に検出した後に、前記信号を組み合わせる段階を有する請求項９記載の方法。
【手続補正２】
【補正対象書類名】明細書
【補正対象項目名】００１２
【補正方法】変更
【補正の内容】
【００１２】
従って、本発明の代表的な一実施例によれば、装置及び方法が提供されている。具体的には、少なくとも１つの第１電磁波を受信することが可能であり、立体角内の少なくとも１つの第２電磁波をサンプルに対して転送することが可能である。第２電磁波は、第１電磁波と関連付けすることが可能である。複数の第３電磁波を第２電磁波と関連付けられたサンプルから受信することが可能であり、第３電磁波の少なくとも１つの部分は、立体角の外縁の外において提供されている。第３電磁波の各々と関連付けられた信号を同時に検出することが可能であり、これらの信号は、サンプル内の複数の深さ（Depth）におけるサンプルの情報と関連付けられている。第３電磁波の中の少なくとも１つの部分を使用することにより、サンプル内の複数の深さを判定することが可能である。
【手続補正３】
【補正対象書類名】明細書
【補正対象項目名】００１３
【補正方法】変更
【補正の内容】
【００１３】
更には、第３電磁波の中の１つの部分と、第１電磁波と関連付けられた少なくとも１つの第４電磁波との間において干渉を検出することが可能であり、サンプルと関連付けられた情報を、干渉に基づいてサンプル内の深さの関数として取得することが可能である。サンプルの少なくとも１つの部分の複屈折特性、分光特性、モーション、角度別後方散乱特性、又は弾性特性の少なくとも１つのものと関連付けられたデータを信号の関数として提供することが可能である。サンプルの少なくとも１つの部分の少なくとも１つの画像を信号の関数として生成することが可能である。サンプルの少なくとも１つの部分の複屈折特性、分光特性、モーション、角度別後方散乱特性、又は弾性特性の少なくとも１つのものと関連付けられたデータを信号の関数として提供することも可能である。データは、画像と関連付けられたコントラストデータであってよい。又、サンプルの少なくとも１つの部分の散乱特性と関連付けられたデータを信号の組み合わせの関数として提供することも可能である。更には、第３電磁波の中の単一のものを使用して信号の深さを判定することが可能である。
【手続補正４】
【補正対象書類名】明細書
【補正対象項目名】００１４
【補正方法】変更
【補正の内容】
【００１４】
本発明の別の代表的な実施例によれば、少なくとも１つのサンプルと関連付けられたデータの生成を円滑に遂行する装置及び方法を提供することが可能である。例えば、少なくとも１つのサンプルから提供された複数の電磁波の信号と関連付けられた第１情報を受信することが可能である。この場合に、複数の電磁波の中の少なくとも１つのものは、時間とともに変化する周波数を有しており、さらに、電磁波の中の少なくとも第１のものを第１軸に沿って提供することが可能であり、電磁波の中の少なくとも第２のものを、第１軸とは異なる第２軸に沿って提供することが可能である。第１情報の少なくとも１つの部分内の信号の各々のデータは、サンプル内の複数の深さのデータを包含することが可能である。少なくとも１つのサンプルの画像の少なくとも１つの部分のコントラストデータと関連付けられた第２情報を、第１情報の関数として生成することが可能である。